(57)【要約】      （修正有）【課題】液晶画面等に保護フィルムを貼り付ける際の位置設定を容易にするセパレータを提供する。【解決手段】保護フィルム１の粘着層面に分割したセパレータ２，３を貼り、セパレータの案内部２ａ、３ａを、機器６の外周形状に合わせるなど、セパレータの一部又は全部の形状を貼り付け位置の案内に利用することで、貼り付け位置の設定を容易に行うという課題を解決する。【選択図】図４
0003142328.tif 000002
【実用新案登録請求の範囲】
【請求項１】
粘着材付き保護フィルムとあらかじめ分割されたセパレータから構成され、保護フィルムが貼られる保護対象の画面に対しセパレータの形状の一部分又は全体が貼り付け位置の案内となる形状で形成されたことを特徴とするセパレータ付きフィルム
【請求項２】
請求項１に於いてセパレータの形状が保護対象の画面とほぼ同一形状に形成されたことを特徴とするセパレータ付きフィルム
【請求項３】
請求項１に於いてセパレータに貼り付け位置の案内となる抜き穴を配置したことを特徴とするセパレータ付きフィルム
【請求項４】
請求項１、２、３に於いてセパレータを３分割したことを特徴とするセパレータ付きフィルム
【請求項５】
請求項１、２、３、４に於いてセパレータの一部をセパレータを剥がす際のガイドとなる形状に形成されたことを特徴とするセパレータ付きフィルム
【考案の詳細な説明】
【技術分野】
【０００１】  本考案は、液晶画面等を保護する保護フィルムとセパレータに関する物である。
【背景技術】
【０００２】  従来の技術思想では、液晶画面等を保護する目的で使用者が粘着層付き保護フィルムを貼り付ける場合、液晶画面の大きさに合わせて正確に貼り付ける作業が必要であったが、貼り付け位置の設定が困難であった。
【考案の開示】
【考案が解決しようとする課題】
【０００３】  本考案は、液晶画面等に保護フィルムを貼り付ける際の貼り付け位置設定を容易にすることを課題とする。
【課題を解決するための手段】
【０００４】  本考案は保護フィルムの粘着層面のセパレータを位置の設定の手段として利用する。貼り付け対象となる液晶画面の縁または本体外周などに合わせた貼り付け位置案内形状を持つ分割したセパレータを保護フィルムの粘着層面に貼る事で、保護フィルムを貼り付ける際の貼り付け位置の設定を容易に行うという課題を解決する。
【考案の効果】
【０００５】  液晶画面の縁に合わせて保護フィルムを貼る場合、本考案の保護フィルムとセパレータに於いて、セパレータは貼り付け対象となる液晶画面の縁に合わせた形状に形成され、また分割されている事が特徴である。通常保護フィルムの形状は対象となる液晶画面より一回り小さく形成される。その為、該液晶画面に対して上下左右均等な逃幅で保護フィルムを貼ることが非常に困難であった。【０００６】本考案ではセパレータを液晶画面の縁に合わせた形状に形成することで、均等な逃幅を確保することが可能になる。分割されているセパレータの中央部を剥がし、残ったセパレータを該液晶画面の縁に合わせて位置決めを行い、糊面の露出した保護フィルムを該液晶画面に貼り付ける。その後で残ったセパレータを剥がし、糊面を該液晶画面に貼り付ける。こうして位置決めの際に糊面に指が触れないため糊面が汚れることもなく、容易に正確な位置に保護フィルムを貼り付けることが可能になる。【０００７】また液晶画面が機器の表面と一体化されたデザインの機種では液晶画面の縁を確認しづらいため、本体の外周などに合わせた位置案内形状のセパレータを使用することで保護フィルムを設定した位置に正確に貼ることが可能になる。
【考案を実施するための最良の形態】
【０００８】  保護フィルムの粘着層面に貼るセパレータに貼り付け対象となる液晶画面の縁に合わせた案内部を設ける。案内部が液晶画面とほぼ同一形状となる場合もある。該セパレータの中央付近に複数の切れ目を入れて分離可能にするか、複数枚に分割してセパレータを形成する。セパレータを剥がす際の手がかりとして、セパレータの分割部分付近にガイドを貼り付けるか、又はセパレータの一部をガイド形状に形成する。
【実施例】
【０００９】  以下、添付図面に基づいて実施例を説明する。
図１は本考案の分割セパレータ付き保護フィルムの平面図である。１は保護フィルム、２及び３はセパレータ、２ａ及び３ａは案内部、２ｂ及び３ｂはセパレータに貼り付けたセパレータを剥がすガイド、４はセパレータの分離部分を示す。図１のようにセパレータが２枚の場合１枚を剥がし、残った他の１枚の案内部を液晶画面の縁に合わせて位置決めをする。【００１０】  図２は図１と同じ構成であるが案内部を穴形状とし、画面の縁に２ａ及び３ａの案内部を合わせる。２ｃ及び３ｃはセパレータの一部をセパレータを剥がすガイド形状に形成した実施例である。【００１１】  図３はセパレータを３分割した実施例の平面図である。セパレータは２、３、５と分割され、それぞれにガイド部を形成する。図４はセパレータの案内部を機器の外周形状に合わせた実施例である。画面が機器６の表面材に埋め込まれカバーされた場合、保護フィルムの位置決めを画面で行うことが困難である為、機器の外周に合わせた案内部により貼り付け位置を規定する。【００１２】  図５は図３の実施例をもとに液晶画面７に保護フィルム１を貼り付ける作業の工程を示す断面図である。中央のセパレータ５をガイド５ｃより剥がし糊面１ａを露出する。残った他の２枚のセパレータ２、３の案内部２ａ、３ａを液晶画面の縁に合わせて位置決めを行い、保護フィルムの露出した糊面１ａを液晶画面に貼り付ける。【００１３】  図６は図５の工程で残ったセパレータ２を剥がす状態を示す断面図である。ガイド２ｃより剥がし保護フィルム１の糊面を液晶画面７に貼り付ける。【００１４】  図７は図６の工程で残ったセパレータ３を剥がす状態を示す断面図である。ガイド３ｃより剥がし保護フィルム１の糊面を液晶画面７に貼り付ける。【００１５】  図８は図５の工程の俯瞰図である。中央のセパレータ５は剥がされ、保護フィルム１が糊面１ａで液晶画面７に貼り付けられている。セパレータ２、３の案内部２ａ、３ａを液晶画面７の縁に合わせている。図９は図６の工程の俯瞰図である。
【図面の簡単な説明】
【００１６】
【図１】案内付き２分割セパレータ付き保護フィルムの平面図である。
【図２】案内穴付き２分割セパレータ付き保護フィルムの平面図である。
【図３】案内付き３分割セパレータ付き保護フィルムの実施例の平面図である。
【図４】案内付き３分割セパレータ付き保護フィルムの実施例の平面図である。
【図５】保護フィルムを貼着する方法の断面図である。
【図６】保護フィルムを貼着する方法の断面図である。
【図７】保護フィルムを貼着する方法の断面図である。
【図８】保護フィルムを貼着する方法の俯瞰図である。
【図９】保護フィルムを貼着する方法の俯瞰図である。
【符号の説明】
【００１７】  １保護フィルム
２セパレータ
２ａ貼り付け位置案内部
３セパレータ
３ａ貼り付け位置案内部
４分離部
６機器
７液晶画面
【図１】
0003142328.tif 000003
【図２】
0003142328.tif 000004
【図３】
0003142328.tif 000005
【図４】
0003142328.tif 000006
【図５】
0003142328.tif 000007
【図６】
0003142328.tif 000008
【図７】
0003142328.tif 000009
【図８】
0003142328.tif 000010
【図９】
0003142328.tif 000011